(57)【要約】      （修正有）【課題】携帯端末を収納して保護でき、暗闇状態であっても、携帯端末を収納した後に認識できる携帯端末用保護カバーを提供する。【解決手段】携帯端末Ｚの表面外形に沿った形状に形成され、携帯端末Ｚを挿入して収納するカバー本体１と、該カバー本体１に配置され、電圧印加で発光する発光体２と、該発光体２に電気接続され、携帯端末Ｚの充電コネクタ１０５に対して電気接続可能な電源コネクタ３を備え、電源コネクタ３は、充電コネクタ１０５を通して、携帯端末Ｚの蓄電素子１０３に電気接続される携帯端末用保護カバーＸ１である。【選択図】図５
0003171205.tif 000002
【実用新案登録請求の範囲】
【請求項１】
携帯端末の表面外形に沿った形状に形成され、前記携帯端末を挿入して収納するカバー本体と、
前記カバー本体に配置され、電圧印加で発光する発光体と、
前記発光体に電気接続され、前記携帯端末の充電コネクタに対して電気接続可能な電源コネクタを備え、
前記電源コネクタは、
前記充電コネクタを通して、前記携帯端末の蓄電素子に電気接続される、
ことを特徴とする携帯端末用保護カバー。
【請求項２】
前記電源コネクタは、
前記携帯端末の前記カバー本体への挿入に伴って、前記携帯端末の前記充電コネクタに電気接続される、
ことを特徴する請求項１に記載の携帯端末用保護カバー。
【請求項３】
携帯端末の表面外形に沿った形状に形成され、前記携帯端末を挿入して収納するカバー本体と、
前記カバー本体に配置され、電圧印加で発光する発光体と、
前記発光体に電気接続され、前記発光体を電圧印加する電源を、
備えてなることを特徴とする携帯端末用保護カバー。
【考案の詳細な説明】
【技術分野】
【０００１】
本考案は、携帯電話端末を含む携帯端末を収納して保護する携帯端末用保護カバーに関する。
【背景技術】
【０００２】
一般に、携帯電話端末を含む携帯端末は、落下による破損を防止し、装飾効果を高めるため、保護カバー内に収納して使用される。保護カバーとして、特許文献１に開示する技術は、携帯電話端末の外面形状に沿った形状に形成し、携帯電話端末の外面に被せて付設する携帯電子機器用カバーを開示する。
【０００３】
しかし、特許文献１の携帯電子機器用カバーでは、携帯電話端末を挿入して収納した後、夜間等の暗闇状態では、カバー及び携帯電話端末を認識できないという問題がある。
【先行技術文献】
【特許文献】
【０００４】
【特許文献１】実用新案登録第３１０６２７９号公報
【考案の概要】
【考案が解決しようとする課題】
【０００５】
本考案は、携帯端末を収納して保護でき、しかも、暗闇状態においても、携帯端末を収納した後に認識できる携帯端末用保護カバーを提供することにある。
【課題を解決するための手段】
【０００６】
本考案に係る請求項１は、携帯端末の表面外形に沿った形状に形成され、前記携帯端末を挿入して収納するカバー本体と、前記カバー本体に配置され、電圧印加で発光する発光体と、前記発光体に電気接続され、前記携帯端末の充電コネクタに対して電気接続可能な電源コネクタを備え、前記電源コネクタは、前記充電コネクタを通して、前記携帯端末の蓄電素子に電気接続されることを特徴とする携帯端末用保護カバーである。
【０００７】
本考案に係る請求項２は、前記電源コネクタは、前記携帯端末の前記カバー本体への挿入に伴って、前記携帯端末の前記充電コネクタに電気接続されることを特徴とする請求項１に記載の携帯端末用保護カバーである。
【０００８】
本考案に係る請求項３は、携帯電話の表面外形に沿った形状に形成され、前記携帯端末を挿入して収納するカバー本体と、前記カバー本体に配置され、電圧印加で発光する発光体と、前記発光体に電気接続され、前記発光体を電圧印加する電源体を備えてなることを特徴とする携帯端末用保護カバーである。
【考案の効果】
【０００９】
本考案に係る請求項１によれば、携帯端末を収納して保護でき、しかも、カバー本体の電源コネクタ及び携帯端末の充電コネクタを電気接続することで、カバー本体の電源コネクタを充電コネクタを通して、携帯端末の蓄電素子に接続できる。これにより、電源コネクタに電気接続される発光体は、携帯端末の蓄電素子の蓄電を利用して発光するので、携帯端末を収納した後、暗闇状態であっても、発光体の発光によって携帯端末を認識できる。携帯端末の蓄電素子の蓄電を利用して、発光体を発光するので、別途、電源を設ける必要もなく、発光体の発光によって装飾的な差別化を図ることも可能となる。
【００１０】
本考案に係る請求項２によれば、請求項１の効果に加えて、携帯端末をカバー本体に挿入して収納するだけで、電源コネクタ及び充電コネクタを容易に電気接続でき、携帯端末の蓄電素子の蓄電を利用して、発光体を発光させることが可能となる。
【００１１】
本考案に係る請求項３によれば、携帯端末を収納して保護でき、しかも、電源に電気接続される発光体は、電源を利用して発光するので、携帯端末を収納した後、暗闇状態であっても、発光体の発光によって携帯端末を認識できる。発光体の発光によって装飾的な差別化を図ることも可能となる。
【図面の簡単な説明】
【００１２】
【図１】第１実施形態の携帯端末用保護カバーを示す図であって、（ａ）は正面図、（ｂ）は左側面図、（ｃ）上側面図、（ｄ）は下側面図である。
【図２】第１実施形態の携帯端末用保護カバーを示す図であって、（ａ）は背面図、（ｂ）は図２（ａ）のＡ−Ａ要部断面図である。
【図３】第１実施形態の携帯端末用保護カバー、及び携帯電話端末（携帯端末）の配置関係を示す正面図である。
【図４】第１実施形態の携帯端末用保護カバー、及び携帯電話端末（携帯端末）の配置関係を示す背面図である。
【図５】第１実施形態の携帯端末用保護カバーに携帯電話端末（携帯端末）を収納した状態を示す図であって、（ａ）は正面図、（ｂ）は図５（ａ）のＢ−Ｂ断面拡大図である。
【図６】第２実施形態の携帯端末用保護カバーを示す図であって、（ａ）は正面図、（ｂ）は左側面図、（ｃ）は上側面図、（ｄ）は下側面図である。
【図７】第２実施形態の携帯端末用保護カバーを示す図であって、（ａ）は背面図、（ｂ）は図７（ａ）のＣ−Ｃ断面拡大図である。
【図８】第２実施形態の携帯端末用保護カバー、及び携帯電話端末（携帯端末）の配置関係を示す正面図である。
【図９】第２実施形態の携帯端末用保護カバーに携帯電話端末（携帯端末）を収納した状態を示す図であって、（ａ）は正面図、（ｂ）は図９（ａ）のＤ−Ｄ断面拡大図である。
【図１０】携帯電話端末（携帯端末）を示す図であって、（ａ）は正面図、（ｂ）は左側面図、（ｃ）は上側面図、（ｄ）は下側面図である。
【図１１】携帯電話端末を示す背面図である。
【図１２】携帯電話端末を示す図であって、（ａ）は図１０（ｂ）のＧ−Ｇ断面図、（ｂ）は図１０（ａ）のＨ−Ｈ断面拡大図である。
【考案を実施するための形態】
【００１３】
本考案に係る携帯端末用保護カバーについて、図１乃至図１２を参照して説明する。
なお、説明の便宜上、携帯端末の構成について説明した後、携帯端末用保護カバーの構成について説明する。
【００１４】
＜携帯端末の構成＞
先ず、携帯端末の構成について、図１０乃至図１２を参照して説明する。
【００１５】
図１０乃至図１２において、携帯端末（Ｚ）は、携帯電話端末を構成している。携帯端末（Ｚ）としては、携帯電話端末に限定されず、携帯情報端末、携帯デジタルカメラ端末、携帯ゲーム端末、携帯オーディオ端末、携帯映像端末等を採用できる。
携帯端末（Ｚ：以下「携帯電話端末（Ｚ）」と称する）は、端末本体（１０１）、液晶表示体（１０２）、蓄電素子（１０３）、電源制御回路基板（１０４）及び充電コネクタ（１０５）を備えている。
【００１６】
端末本体（１０１）は、図１０及び図１１に示すように、矩形・薄厚の箱状に形成され、正面（１０１ａ）、背面（１０１ｂ）、左右側面（１０１ｃ）、（１０１ｄ）及び上下側面（１０１ｅ）、（１０１ｆ）で表面外形（１０１Ｘ）を構成している。
端末本体（１０１）は、表示窓（１０６Ａ）、フォンジャック穴（１０６Ｂ）、複数の操作穴（１０６Ｃ）、（１０６Ｃ）、カメラ窓（１０６Ｄ）及びコネクタ窓（１０６Ｅ）を有し、表示窓（１０６Ａ）は、端末本体（１０１）の正面（１０１ａ）に開口される。
フォンジャック穴（１０６Ｂ）は、端末本体（１０１）の上側面（１０１ｅ）に開口され、フォンジャック（１０７）を配置する。
複数の操作穴（１０６Ｃ）、（１０６Ｃ）は、端末本体（１０１）の左側面（１０１ｃ）に開口され、複数の操作ボタン（１０８）、（１０８）を配置する。
カメラ窓（１０６Ｄ）は、端末本体（１０１）の背面（１０１ｂ）に開口され、高性能小型カメラ（１０９）を配置する。
コネクタ窓（１０６Ｅ）は、端末本体（１０１）の下側面（１０１ｆ）に開口されている。
【００１７】
携帯電話端末（Ｚ）において、液晶表示体（１０２）は、例えば、液晶表示及び情報入力の機能を備えるタッチパネルで構成され、端末本体（１０１）の表示窓（１０６Ａ）内に設置される。
蓄電素子（１０３）は、例えば、リチウムイオン二次電池で構成され、図１２に示すように、端末本体（１０１）内に配置される。
電源制御回路基板（１０４）は、端末本体（１０１）内に配置され、蓄電素子（１０３）に電気接続されている。電源制御回路基板（１０４）は、制御装置等（図示しない）を有し、制御装置は携帯電話端末（Ｚ）全体の制御（電源制御、通信制御等）を司る。
充電コネクタ（１０５）は、図１０乃至図１２に示すように、例えば、ピンインサートで構成され、端末本体（１０１）内に配置されている。充電コネクタ（１０５）は、図１２に示すように、電源制御回路基板（１０４）に電気接続され、下側面（１０１ｆ）のコネクタ窓（１０６Ｅ）内に位置されている。
【００１８】
上記構成の携帯電話端末（Ｚ）は、液晶表示体（１０２）の表示情報に基づいて、操作、情報入力することで、電話通信、メール通信、情報データ通信等を実行する。なお、携帯電話端末（Ｚ）において、充電コネクタ（１０５）から電源制御回路基板（１０５）を通して蓄電素子（１０３）に電力を蓄電（充電）する。
【００１９】
＜携帯端末用保護カバーの構成＞
次に、携帯端末用保護カバーの構成について、図１乃至図９を参照して説明する。
以下、第１実施形態の携帯端末用保護カバー（Ｘ１）、及び第２実施形態の携帯端末用保護カバー（Ｘ２）について説明する。
【００２０】
＜第１実施形態＞
第１実施形態の携帯端末用保護カバー（Ｘ１）について、図１乃至図５を参照して説明する。
【００２１】
図１及び図２において、第１実施形態の携帯端末用保護カバー（Ｘ１）は、携帯電話端末（Ｚ）を収納して保護する。第１実施形態の携帯端末用保護カバー（Ｘ１：以下「保護カバー（Ｘ１）」と称する）は、携帯電話端末（Ｚ）の蓄電素子（１０３）の蓄電を利用して、発光体（２）を発光する。
保護カバー（Ｘ１）は、図１及び図２に示すように、カバー本体（１）、発光体（２）及び電源コネクタ（３）を備えている。
【００２２】
カバー本体（１）は、携帯電話端末（Ｚ）の表面外形（１０１Ａ）に沿った矩形状に形成され、正面（１ａ）、背面（１ｂ）、左右側面（１ｃ）、（１ｄ）及び上下側面（１ｅ）、（１ｆ）で表面外形（１Ｘ）を構成している。
カバー本体（１）は、例えば、プラスチック等の合成樹脂で構成され、各面（１ａ）〜（１ｆ）を構成する正面壁（１Ａ）、背面壁（１Ｂ）、左右側壁（１Ｃ）、（１Ｄ）及び上下側壁（１Ｅ）、（１Ｆ）によって、携帯電話端末（Ｚ）を挿入して収納する矩形の収納空間（ＳＳ）を区画している。
収納空間（ＳＳ）において、カバー本体（１）の上下方向（Ｌ）の長さ寸法（ｌ）、左右方向（Ｒ）の幅寸法（ｒ）及び前後方向（Ｆ）の高さ寸法（ｆ）は、携帯電話端末（Ｚ）の長さ寸法（ｌ１）、幅寸法（ｒ１）及び厚さ寸法（ｆ１）に対応し、携帯電話端末（Ｚ）の端末本体（１）をカバー本体（１）の収納空間（ＳＳ）に挿入して収納でき、カバー本体（１）を端末本体（１）の表面外形（１Ｘ）に沿わせることのできる寸法に設定する（図１及び図１０参照）。
【００２３】
カバー本体（１）は、操作窓（５Ａ）、挿入窓（５Ｂ）、カメラ窓（５Ｃ）及び表示操作窓（５Ｄ）を有し、操作窓（５Ａ）は、カバー本体（１）の左側面（１ｃ）に開口されている。操作窓（５Ａ）は、カバー本体（１）の上下方向（Ｌ）に延設され、上側面（１ｅ）に開口され、携帯電話端末（Ｚ）の各操作ボタン（１０８）、（１０８）を挿入する。
挿入窓（５Ｂ）は、カバー本体（１）の上側面（１ｅ）に開口され、収納空間（ＳＳ）をカバー本体（１）外側に開放する。挿入窓（５Ｂ）は、カバー本体（１）の左右方向（Ｒ）及び前後方向（Ｆ）に延設され、収納空間（ＳＳ）と同様にして、左右方向（Ｒ）の幅寸法（ｒ）及び前後方向（Ｆ）の高さ寸法（ｆ）に設定され、携帯電話端末（Ｚ）の端末本体（１０１）を挿入する。
カメラ窓（５Ｃ）は、カバー本体（１）の背面（１ｂ）に開口され、携帯電話端末（Ｚ）の高性能小型カメラ（１０９）を挿入する。
表示操作窓（２Ｄ）は、カバー本体（１）の正面（１ａ）に開口され、上下方向（Ｌ）及び左右方向（Ｒ）に延設され、携帯電話端末（Ｚ）の液晶表示体（１０２）を配置する。
【００２４】
発光体（２）は、カバー本体（１）に配置され、電圧印加で発光する。発光体（２）は、図２に示すように、複数の発光ダイオード・チップ（２Ａ：以下「チップｌＥＤ（２Ａ）」と称する）で構成され、各チップＬＥＤ（２Ａ）は、定電流回路基板（６）に電気接続して配置される。
各チップＬＥＤ（２Ａ）は、赤、白、緑、青等に発光し、例えば、装飾性を考慮して、図２（ａ）に示すように、十字状に配置する。
各チップＬＥＤ（２Ａ）及び定電流回路基板（６）は、例えば、カバー本体（１）の背面（１ｂ）を構成する背面壁（１Ｂ）内に配置され、背面壁（１Ｂ）は、複数の発光穴（５ａ）を有している。複数の発光穴（５ａ）は、図２に示すように、定電流回路基板（６）に対峙して十字状に配置されている。各発光穴（５ａ）は、カバー本体（１）の背面（１ｂ）に開口されて、各チップＬＥＤ（２Ａ）を収納している。定電流回路基板（６）は、カバー本体（１）の背面壁（１Ｂ）内に埋設され、プラスチック等の合成樹脂で被覆されている。
【００２５】
電源コネクタ（３）は、定電流回路基板（６）に電気接続され、定電流回路基板（６）を通して発光体（２）の各チップＬＥＤ（２Ａ）に電気接続されている。
電源コネクタ（３）は、例えば、ソケットインサートで構成されている。電源コネクタ（３）は、携帯電話端末（Ｚ）の充電コネクタ（１０５）に対して電気接続可能にされ、充電コネクタ（１０５）を通して携帯電話端末（Ｚ）の蓄電素子（１０３）に電気接続される。
電源コネクタ（３）は、図２（ｂ）に示すように、カバー本体（１）に配置され、下側面（１ｆ）を構成する下側壁（１Ｆ）に取付けられている。
【００２６】
上記構成の保護カバー（Ｘ１）は、携帯電話端末（Ｚ）を挿入して収納する。
携帯電話端末（Ｚ）は、図３に示すように、端末本体（１０１）の正面（１０１ａ）をカバー本体（１）の正面（１ａ）側に位置し、更に、端末本体（１０１）の下側面（１０１ｆ）をカバー本体（１）の上側面（１ｅ）上側に位置する。なお、携帯電話端末（Ｚ）において、端末本体（１０１）の背面（１０１ｂ）は、図４に示すように、カバー本体（１）の背面（１ｂ）側に位置する。
これにより、携帯電話端末（Ｚ）の充電コネクタ（１０５）は、カバー本体（１）の挿入窓（５Ｂ）を通して電源コネクタ（３）に対峙される。
【００２７】
続いて、携帯電話端末（Ｚ）において、端末本体（１０１）をカバー本体（１）の挿入窓（５Ｂ）から収納空間（ＳＳ）内に挿入して、カバー本体（１）内に収納する。
カバー本体（１）の電源コネクタ（３）は、携帯電話端末（Ｚ）のカバー本体（１）への挿入に伴って、図５に示すように、携帯電話端末（Ｚ）の充電コネクタ（１０５）内に挿入され、充電コネクタ（１０５）に電気接続される。
これにより、電源コネクタ（３）は、携帯電話端末（Ｚ）の充電コネクタ（１０５）、及び電源制御回路基板（１０４）を通して、携帯電話端末（Ｚ）の蓄電素子（１０３）に電気接続される。
【００２８】
そして、発光体（２）の各チップＬＥＤ（２Ａ）は、図５（ｂ）に示すように、定電流回路基板（６）、電源コネクタ（３）、充電コネクタ（１０５）及び電源制御回路基板（１０４）を通して携帯電話端末（Ｚ）の蓄電素子（１０３）に電気接続される。
これにより、携帯電話端末（Ｚ）の蓄電素子（１０３）の蓄電によって、例えば、定電流回路基板（６）に電圧を印加することで、発光体（２）の各チップＬＥＤ（２Ａ）は発光する。
保護カバー（Ｘ１）は、携帯電話端末（Ｚ）を収納空間（ＳＳ）内に収納すると、携帯電話端末（Ｚ）の液晶表示体（１０２）、操作ボタン（１０８）、（１０８）、高性能小型カメラ（１０９）及びフォンジャック（１０７）を除いて、端末本体（１０１）を被覆して保護する。携帯電話端末（Ｚ）の使用者は、図５（ａ）に示すように、カバー本体（１）の表示窓（５Ｄ）を通して液晶表示体（１０２）の表示を視認でき、情報を入力できる。使用者は、操作窓（５Ａ）、カメラ窓（５Ｃ）を通して操作ボタン（１０８）、（１０８）及び高性能小型カメラ（１０９）を操作でき、挿入窓（５Ｂ）を通してイヤフォン（図示しない）をフォンジャック（１０７）に接続できる。
【００２９】
第１実施形態の携帯端末用保護カバー（Ｘ１）によれば、携帯電話端末（Ｚ）を被覆して保護でき、しかも、携帯電話端末（Ｚ）の蓄電素子（１０３）の蓄電を利用して、発光体（２）の各チップＬＥＤ（２Ａ）を発光できる。
第１実施形態の携帯端末用保護カバー（Ｘ１）では、携帯電話端末（Ｚ）をカバー本体（１）に挿入して収納するだけで、電源コネクタ（３）及び充電コネクタ（１０５）を電気接続でき、発光体（２）の各チップＬＥＤ（２Ａ）を電源コネクタ（３）、充電コネクタ（１０５）等を通して携帯電話端末（Ｚ）の蓄電素子（１０３）に電気接続できる。
【００３０】
＜第２実施形態＞
第２実施形態の携帯端末用保護カバー（Ｘ２）について、図６乃至図９を参照して説明する。
なお、図６乃至図９において、図１乃至図５と同一符号は、同一構成、部材を示すので、詳細な説明は省略する。
【００３１】
図６及び図７において、第２実施形態の携帯端末用保護カバー（Ｘ２）は、携帯電話端末（Ｚ）を収納して保護する。
第２実施形態の携帯端末用保護カバー（Ｘ２：以下「保護カバー（Ｘ２）」と称する）は、カバー本体（１１）の電源（１３）を利用して、発光体（１２）を発光する。
保護カバー（Ｘ２）は、図６及び図７に示すように、カバー本体（１１）、発光体（１２）及び電源（１３）を備えている。
【００３２】
カバー本体（１１）は、携帯電話端末（Ｚ）の表面外形（１０１Ｘ）に沿った矩形状に形成され、正面（１１ａ）、背面（１１ｂ）、左右側面（１１ｃ）、（１１ｄ）及び上下側面（１１ｅ）、（１１ｆ）で表面外形を構成している。
カバー本体（１１）は、例えば、弾性変形できるシリコン樹脂（又はシリコンゴム）で構成され、各面（１１ａ）〜（１１ｆ）を構成する正面壁（１１Ａ）、背面壁（１１Ｂ）、左右側壁（１１Ｃ）、（１１Ｄ）及び上下側壁（１１Ｅ）、（１１Ｆ）によって、携帯電話端末（Ｚ）を挿入して収納する矩形の収納空間（ＳＳ）を区画している。収納空間（ＳＳ）は、第１実施形態と同様な寸法：ｌ、ｒ、ｆに設定される。
【００３３】
カバー本体（１１）は、操作窓（１４Ａ）、フォンジャック窓（１４Ｂ）、カメラ窓（１４Ｃ）、表示窓（１４Ｄ）及び充電窓（１４Ｅ）を有し、操作窓（１４Ａ）は、カバー本体（１１）の左側面（１１ｃ）に開口され、携帯電話端末（Ｚ）の各操作ボタン（１０８）を配置する。
フォンジャック窓（１４Ｂ）は、カバー本体（１）の上側面（１ｅ）に開口され、携帯電話端末（Ｚ）のフォンジャック（１０７）を配置する。
カメラ窓（１４Ｃ）は、カバー本体（１）の背面（１１ｂ）に開口され、携帯電話端末（Ｚ）の高精度小型カメラ（１０９）を配置する。
表示窓（１４Ｄ）は、カバー本体（１１）の正面（１１ａ）に開口され、上下方向（Ｌ）及び左右方向（Ｒ）に延設され、携帯電話端末（Ｚ）の液晶表示体（１０２）を配置する。
充電窓（１４Ｅ）は、カバー本体（１）の下側面（１ｆ）に開口され、携帯電話端末（Ｚ）の充電コネクタ（１０５）を配置する。
【００３４】
発光体（１２）は、カバー本体（１１）に配置され、電圧印加で発光する。発光体（１２）は、図７に示すように、複数の発光ダイオード・チップ（１２Ａ：以下「チップＬＥＤ（１２Ａ）」と称する）で構成され、各チップＬＥＤ（１２Ａ）は、定電流回路基板（１５）に電気接続して配置されている。各チップＬＥＤ（１２Ａ）は、赤、白、緑、青等に発光し、例えば、装飾性を考慮して、図７（ａ）に示すように、十字状に配置する。
定電流回路基板（１５）は、弾性変形できるフレキシブル基板で構成され、例えば、メタリックカーボンシートで形成される。
各チップＬＥＤ（１２Ａ）及び定電流回路基板（１５）は、例えば、カバー本体（１１）の背面（１１ｂ）を構成する背面壁（１１Ｂ）内に配置され、背面壁（１１Ｂ）は複数の発光穴（１６ａ）を有している。複数の発光穴（１６ａ）は、図７に示すように、定電流回路基板（１５）に対峙して十字状に配置されている。各発光穴（１６ａ）は、カバー本体（１１）の背面（１ｂ）に開口され、各チップＬＥＤ（１２Ａ）を収納している。定電流回路基板（１５）は、カバー本体（１１）の背面壁（１１Ｂ）内に埋設され、シリコン樹脂等で被覆されている。
【００３５】
電源（１３）は、図７に示すように、カバー本体（１）に配置され、定電流回路基板（１５）に電気接続されている。
電源（１３）は、例えば、コイン型の一次電池（酸化銀電池、リチウム電池等）で構成され、定電流回路基板（１５）を通して発光体（１２）の各チップＬＥＤ（１２Ａ）に電気接続される。
電源（１３）は、電池ホルダ（１３Ａ）に装着され、電池ホルダ（１３Ａ）は、カバー本体（１１）の背面壁（１１Ｂ）内に設置され、定電流回路基板（１５）に電気接続される。
電源（１３）及び電池ホルダ（１３Ａ）は、カバー本体（１１）の背面壁（１１Ｂ）の電源空間（ＤＳ）に配置され、電源空間（ＤＳ）は背面（１１ｂ）に開口している。電源空間（ＤＳ）は、開閉板（１７）で開閉可能にされている。
【００３６】
上記構成の保護カバー（Ｘ２）は、携帯電話端末（Ｚ）を挿入して収納する。
携帯電話端末（Ｚ）は、図８に示すように、端末本体（１０１）の正面（１０１ａ）をカバー本体（１１）の正面（１１ａ）側に位置する。
続いて、保護カバー（Ｘ２）において、カバー本体（１１）を上下方向（Ｌ）、左右方向（Ｒ）に弾性変形して、表示窓（１４Ｄ）を拡大させる。
続いて、カバー本体（１１）の表示窓（１４Ｄ）を拡大させた状態で、携帯電話端末（Ｚ）の端末本体（１０１）を、カバー本体（１１）の収納空間（ＳＳ）内に挿入して収納する。そして、携帯電話端末（Ｚ）をカバー本体（１１）に収納した後、カバー本体（１１）の拡大（弾性変形）を開放すると、カバー本体（１１）は縮んで端末本体（１０１）の表面外形に沿って被覆する。このとき、定電流回路基板（１５）は、フレキシブル基板であるので、カバー本体（１１）に追従して弾性変形することから、破損等することはない。
保護カバー（Ｘ２）は、携帯電話端末（Ｚ）を収納空間（ＳＳ）に収納すると、携帯電話端末（Ｚ）の液晶表示体（１０２）、操作ボタン（１０８）、（１０８）、フォンジャック（１０７）及び高性能小型カメラ（１０９）を除いて、端末本体（１０１）を被覆して保護する。携帯電話端末（Ｚ）の使用者は、図９（ａ）に示すように、カバー本体（１１）の表示窓（１４Ｄ）を通して液晶表示体（１０２）の表示を視認でき、情報を入力できる。使用者は、操作窓（１４Ａ）及びカメラ窓（１４Ｃ）を通して操作ボタン（１０８）、（１０８）及び高性能小型カメラ（１０９）を操作でき、フォンジャック窓（１４Ｂ）を通してイヤフォン（図示しない）をフォンジャック（１０７）に接続できる。また、使用者は、充電窓（１４Ｅ）を通して、充電器のコネクタ（図示しない）を充電コネクタ（１０５）に電気接続して、携帯電話端末（Ｚ）の蓄電素子（１０３）に電力を蓄電（充電）できる。
発光体（１２）の各チップＬＥＤ（１２Ａ）は、図９（ｂ）に示すように、定電流回路基板（１５）を通して電源（１３）に電気接続され、電源（１３）の電圧印加によって発光する。
【００３７】
第２実施形態の携帯端末用保護カバー（Ｘ２）によれば、携帯電話端末（Ｚ）を被覆して保護でき、しかも、カバー体（１１）の電源（１３）を利用して、発光体（１２）の各チップＬＥＤ（１２Ａ）を発光できる。
第２実施形態の携帯端末用カバー（Ｘ２）では、開閉板（１７）をカバー本体（１１）から取外すことで、電源空間（ＤＳ）を開放でき、電源（１３）を交換できる。
【００３８】
第１実施形態の携帯端末用保護カバー（Ｘ１）では、携帯電話端末（Ｚ）の蓄電素子（１０３）の蓄電を利用して、発光体（２）の各チップＬＥＤ（２Ａ）を発光する構成について説明したが、これに限定されるものでなく、第２実施形態と同様にして、カバー本体（１）にコイン型の一次電池等の電源を設置して、発光体（２）の各チップＬＥＤ（２Ａ）を発光する構成を採用できる。
【００３９】
第２実施形態の携帯端末用保護カバー（Ｘ２）では、第１実施形態と同様にして、カバー本体（１１）の下側壁（１１Ｄ）に電源コネクタを設置することで、携帯電話端末（Ｚ）の蓄電素子（１０３）の蓄電を利用して、発光体（１２）の各チップＬＥＲ（１２Ａ）を発光する構成を採用できる。
【００４０】
第１及び第２実施形態の携帯端末用保護カバー（Ｘ１）、（Ｘ２）において、発光体（２）、（１２）のチップＬＥＤ（２Ａ）、（１２Ａ）の配置数は、１又複数を採用でき、各チップＬＥＤ（２Ａ）、（１２Ａ）の配置態様も、十字状配置に限定されず（図２及び図７参照）、装飾効果を発揮できる配置態様を採用でき、差別化を図ることが可能となる。
第１及び第２実施形態の携帯端末保護カバー（Ｘ１）、（Ｘ２）において、発光体（２）、（１２）としては、チップＬＥＤ（２Ａ）、（１２Ａ）について説明したが、これに限定されず、有機エレクトロルミネッセンス（有機ＥＬシート）を採用できる。
【００４１】
第１及び第２実施形態の携帯端末用保護カバー（Ｘ１）、（Ｘ２）では、発光体（２）、（１２）のチップＬＥＤ（２Ａ）、（１２Ａ）をカバー本体（１）、（１１）の背面壁（１Ｆ）、（１１Ｆ）に配置する構成について説明したが、これに限定されるものでなく、発光体（２）、（１２）のチップＬＥＤ（２Ａ）、（１２Ａ）をカバー本体（１）、（１１）の正面壁（１Ａ）、（１１Ａ）、左右側壁（１Ｃ）、（１Ｄ）、（１１Ｃ）、（１１Ｄ）及び上下側壁（１Ｅ）、（１Ｆ）、（１１Ｅ）、（１１Ｆ）に配置する構成も採用できる。
【産業上の利用可能性】
【００４２】
本考案は、携帯端末を保護するカバーに好適である。
【符号の説明】
【００４３】
Ｘ１、Ｘ２  携帯端末用保護カバー
Ｚ  携帯電話端末（携帯端末）
１、１１  カバー本体
２、１２  発光体
３  電源コネクタ
１０３  蓄電素子（リチウムイオン二次電池）
１０５  充電コネクタ
【図１】
0003171205.tif 000003
【図２】
0003171205.tif 000004
【図３】
0003171205.tif 000005
【図４】
0003171205.tif 000006
【図５】
0003171205.tif 000007
【図６】
0003171205.tif 000008
【図７】
0003171205.tif 000009
【図８】
0003171205.tif 000010
【図９】
0003171205.tif 000011
【図１０】
0003171205.tif 000012
【図１１】
0003171205.tif 000013
【図１２】
0003171205.tif 000014